(57)【特許請求の範囲】
【請求項１】
少なくとも撮影部位条件を含む所定種類の主撮影条件と少なくとも駆動条件を含む所定種類の副撮影条件からなる撮影プロトコルの入力を受け付ける操作手段と、
前記操作手段が受け付けた撮影プロトコルの主撮影条件に合致する医用画像を、予め記憶されている所定の撮影プロトコルと医用画像との関連づけから検索する検索手段と、
前記操作手段が受け付けた前記撮影プロトコルの前記副撮影条件を変更した撮影プロトコルを作成するプロトコル作成手段と、
前記検索手段で検索された医用画像をベースに、前記入力及び前記変更した撮影プロトコルと前記検索した医用画像に関連づけられた撮影プロトコルとに基づき、前記入力及び前記変更した撮影プロトコルに対応する各医用画像を作成する画像作成手段と、
前記画像作成手段で作成した各医用画像を表示する表示手段と、
を備えること、
を特徴とする撮影プロトコル作成支援システム。
【請求項２】
前記プロトコル作成手段は、前記副撮影条件のパラメータを一定間隔で変更した複数段階の撮影プロトコルを作成すること、
を特徴とする請求項１記載の撮影プロトコル作成支援システム。
【請求項３】
確定した撮影プロトコルを、医用画像を撮影する撮影手段に入力する撮影プロトコル管理部をさらに備え、
前記操作手段は、前記受け付けた撮影プロトコル又は前記副撮影条件を変更した撮影プロトコルのいずれか一つの選択の入力を受け付け、
前記撮影プロトコル管理部は、前記選択された撮影プロトコルを前記撮影手段に入力すること、
を特徴とする請求項１記載の撮影プロトコル作成支援システム。
【請求項４】
前記主撮影条件は、患者情報、造影剤の有無を表す情報、スライス厚を表す情報の少なくともいずれかを含むこと、
を特徴とする請求項１記載の撮影プロトコル作成支援システム。
【請求項５】
少なくとも撮影部位条件を含む所定種類の主撮影条件と少なくとも駆動条件を含む所定種類の副撮影条件からなる撮影プロトコルの入力を受けて、入力された撮影プロトコルの主撮影条件に合致する医用画像を、予め記憶されている所定の撮影プロトコルと医用画像との関連づけから検索する検索手段と、
入力された撮影プロトコルの前記副撮影条件を変更した撮影プロトコルを作成するプロトコル作成手段と、
前記検索手段で検索された医用画像をベースに、前記入力及び前記変更した撮影プロトコルと前記検索した医用画像に関連づけられた撮影プロトコルとに基づき、前記入力及び前記変更した撮影プロトコルに対応する各医用画像を作成する画像作成手段と、
を備えること、
を特徴とする撮影プロトコル作成支援システム。
【請求項６】
確定した撮影プロトコルに基づき被検体を撮影する撮影手段と、
撮影プロトコルの入力を受け付ける操作手段と、
前記操作手段が受け付けた撮影プロトコルの少なくとも撮影部位条件を含む主撮影条件に合致する医用画像を、予め記憶されている所定の撮影プロトコルと医用画像との関連づけから検索する検索手段と、
前記操作手段が受け付けた撮影プロトコルの少なくとも駆動条件を含む副撮影条件を変更した撮影プロトコルを作成するプロトコル作成手段と、
前記検索手段で検索された医用画像をベースに、前記入力及び前記変更した撮影プロトコルと前記検索した医用画像に関連づけられた撮影プロトコルとに基づき、前記入力及び前記変更した撮影プロトコルに対応する各医用画像を作成する画像作成手段と、
前記画像作成手段で作成した各医用画像を表示する表示手段と、
前記操作手段で入力された撮影プロトコルと前記プロトコル作成手段で作成された撮影プロトコルのうちいずれかを前記確定した撮影プロトコルとして選択する入力を受け付け、
前記撮影手段は、前記操作手段の受け付けにより選択された撮影プロトコルに基づき前記被検体を撮影すること、
を特徴とする医用画像診断装置。
【請求項７】
少なくとも撮影部位条件を含む所定種類の主撮影条件と少なくとも駆動条件を含む所定種類の副撮影条件からなる撮影プロトコルの入力を受け付け、
前記受け付けた撮影プロトコルの主撮影条件に合致する医用画像を、予め記憶されている所定の撮影プロトコルと医用画像との関連づけから検索し、
前記受け付けた撮影プロトコルの前記副撮影条件を変更した撮影プロトコルを作成し、
前記検索された医用画像をベースに、前記入力及び前記変更した撮影プロトコルと前記検索した医用画像に関連づけられた撮影プロトコルとに基づき、前記入力及び前記変更した撮影プロトコルに対応する各医用画像を作成し、
前記作成した各医用画像を表示すること、
を特徴とする撮影プロトコル作成支援方法。
【請求項８】
前記受け付けた撮影プロトコル又は前記副撮影条件を変更した撮影プロトコルのいずれか一つの選択の入力を受け付け、
医用画像を撮影する撮影手段に前記選択された撮影プロトコルを入力すること、
を特徴とする請求項７記載の撮影プロトコル作成支援方法。
【発明の詳細な説明】
【技術分野】
【０００１】
本発明は、被検体撮影の撮影プロトコルの作成を支援する技術に関する。
【背景技術】
【０００２】
読影医や診断医は、被検体を撮影することで得た医用画像をもとに被検体の所見を行い、また診断を行う。医用画像は、Ｘ線ＣＴ装置やＭＲＩ装置や超音波診断装置や核医学診断装置等の画像診断装置によって撮影される。
【０００３】
撮影プロトコルが確定されると、画像診断装置は、確定した撮影プロトコルに従って医用画像の撮影を行う。そのため、医用画像の際には、撮影プロトコルを医用画像診断装置に入力しなければならない。
【０００４】
撮影プロトコルは、例えば、被検体の身長、体重、体型、年齢をはじめとする患者情報と、医用画像診断装置がＸ線ＣＴ装置であれば電圧、電流、管電圧、管電流、ガントリ回転速度、スライス厚、ビーム幅、ヘリカルピッチ、撮影部位、造影剤の有無をはじめとする情報である。これらのパラメータを逐次決定した上で入力する。また、パラメータが決定されている撮影プロトコルの表す情報を読み出して、その撮影プロトコルを入力する。
【０００５】
このように、撮影プロトコルは、多数のパラメータにより成り立っているため、各パラメータを決定するのは非常に困難である。撮影したい医用画像の態様を想像し、その医用画像の態様を具現するためのパラメータを経験等によって決定しなければならない。
【０００６】
このため、従来、基準となる医用画像とその基準撮影プロトコルとの関連づけを予め記憶しておき、入力された撮影プロトコルと基準撮影プロトコルとの差異に応じて基準となる医用画像を画像処理してプレビュー表示するシステムが提供されていた。
【０００７】
この従来のシステムによっては、入力した撮影プロトコルによってどのような医用画像を撮影できるかのプレビューを閲覧することができる。そのため、このプレビューをもとに撮影プロトコルを修正することが可能となる。
【０００８】
【特許文献１】特開２００４−３２９６６１号公報
【発明の開示】
【発明が解決しようとする課題】
【０００９】
従来のシステムでは、そのプレビューを閲覧して、撮影プロトコルのパラメータを変更した場合を想像しなければ、意図した医用画像の撮影を期待できる撮影プロトコルを導くことができない。または、少しずつ撮影プロトコルを修正して、その都度プレビュー表示して確かめなければならない。
【００１０】
医用画像診断装置による撮影では、例えばＸ線ＣＴ装置による場合には被検体は被爆するために撮影の失敗は許されない。しかし、撮影プロトコルのパラメータを変更した結果は想像に頼るしかないため、修正した撮影プロトコルが被検体にとって最適であるかの判断は非常に困難である。そのため、やり直しといった大失敗を防ぐために、大抵は予め用意されている撮影プロトコルを用いて、修正を最小限に留めていた。即ち、被検体にとって最適な撮影プロトコルが構築されているとはいえなかった。
【００１１】
本発明は、上記事情に鑑みてなされたものであり、その目的とするところは、撮影の失敗を防ぐとともに、意図した医用画像の撮影を期待できる撮影プロトコルの作成を可能とする支援技術を提供することにある。
【課題を解決するための手段】
【００１２】
上記課題を解決するために、請求項１記載の本発明に係る撮影プロトコル作成支援システムは、所少なくとも撮影部位条件を含む所定種類の主撮影条件と少なくとも駆動条件を含む所定種類の副撮影条件からなる撮影プロトコルの入力を受け付ける操作手段と、前記操作手段が受け付けた撮影プロトコルの主撮影条件に合致する医用画像を、予め記憶されている所定の撮影プロトコルと医用画像との関連づけから検索する検索手段と、前記操作手段が受け付けた撮影プロトコルの前記副撮影条件を変更した撮影プロトコルを作成するプロトコル作成手段と、前記検索手段で検索された医用画像をベースに、前記入力及び前記変更した撮影プロトコルと前記検索した医用画像に関連づけられた撮影プロトコルとに基づき、前記入力及び前記変更した撮影プロトコルに対応する各医用画像を作成する画像作成手段と、前記画像作成手段で作成した各医用画像を表示する表示手段と、を備えること、を特徴とする。
【００１３】
上記課題を解決するために、請求項６記載の本発明に係る医用画像診断装置は、確定した撮影プロトコルに基づき被検体を撮影する撮影手段と、撮影プロトコルの入力を受け付ける操作手段と、前記操作手段が受け付けた撮影プロトコルの少なくとも撮影部位条件を含む主撮影条件に合致する医用画像を、予め記憶されている所定の撮影プロトコルと医用画像との関連づけから検索する検索手段と、前記操作手段が受け付けた撮影プロトコルの少なくとも駆動条件を含む副撮影条件を変更した撮影プロトコルを作成するプロトコル作成手段と、前記検索手段で検索された医用画像をベースに、前記入力及び前記変更した撮影プロトコルと前記検索した医用画像に関連づけられた撮影プロトコルとに基づき、前記入力及び前記変更した撮影プロトコルに対応する各医用画像を作成する画像作成手段と、前記画像作成手段で作成した各医用画像を表示する表示手段と、記操作手段で入力された撮影プロトコルと前記プロトコル作成手段で作成された撮影プロトコルのうちいずれかを前記確定した撮影プロトコルとして選択する入力を受け付け、前記撮影手段は、前記操作手段の受け付けにより選択された撮影プロトコルに基づき前記被検体を撮影すること、を特徴とする。
【００１４】
上記課題を解決するために、請求項７記載の本発明に係る撮影プロトコル作成支援方法は、少なくとも撮影部位条件を含む所定種類の主撮影条件と少なくとも駆動条件を含む所定種類の副撮影条件からなる撮影プロトコルの入力を受け付け、前記受け付けた撮影プロトコルの主撮影条件に合致する医用画像を、予め記憶されている所定の撮影プロトコルと医用画像との関連づけから検索し、前記受け付けた撮影プロトコルの前記副撮影条件を変更した撮影プロトコルを作成し、前記検索された医用画像をベースに、前記入力及び前記変更した撮影プロトコルと前記検索した医用画像に関連づけられた撮影プロトコルとに基づき、前記入力及び前記変更した撮影プロトコルに対応する各医用画像を作成し、前記作成した各医用画像を表示すること、を特徴とする。
【発明の効果】
【００１５】
本発明によれば、入力された撮影プロトコルとその類似の撮影プロトコルに対応する医用画像をプレビュー表示するため、医用画像を閲覧することで操作者は意図に沿った医用画像を撮影することのできる撮影プロトコルを探索することができる。従って撮影プロトコルのパラメータに誤りがあったために生ずる撮影の失敗を防ぎ、かつ良好な医用画像を撮影することができる。
【発明を実施するための最良の形態】
【００１６】
以下、本発明に係る撮影プロトコル作成支援技術の好適な実施形態について、図面を参照しながら具体的に説明する。
【００１７】
図１は、本実施形態に係る撮影プロトコル作成支援システム１の構成を示すブロック図である。
【００１８】
撮影プロトコル作成支援システム１は、入力された撮影プロトコルの撮影条件を段階的に変化させた類似の撮影プロトコルを作成し、入力された撮影プロトコルと類似の撮影プロトコルに対するプレビュー画像を検索又は画像処理によって用意する。操作者は、プレビュー画像を閲覧することにより、入力した撮影プロトコル又は類似の撮影プロトコルの何れかから最適な撮影プロトコルを選択することができる。
【００１９】
撮影プロトコルは、医用画像診断装置が被検体を撮影するための撮影条件である。この撮影プロトコルは、被検体の身長、体重、体型、年齢をはじめとする患者情報と、医用画像診断装置がＸ線ＣＴ装置であれば電圧、電流、管電圧、管電流、ガントリ回転速度、スライス厚、ビーム幅、ヘリカルピッチ、撮影部位、造影剤の有無をはじめとする情報である。
【００２０】
この撮影プロトコル作成支援システム１は、医用画像診断装置内に備えられる。医用画像診断装置は、撮影プロトコルに従って被検体を撮影することで医用画像を作成する撮影部８０を有する。医用画像診断装置は、Ｘ線ＣＴ装置やＭＲＩ装置や超音波診断装置や核医学診断装置である。例えばＸ線ＣＴ装置であれば、撮影部８０は、Ｘ線を曝者するＸ線管と、被検体を透過したＸ線を検出するＸ線検出部と、検出したＸ線の透過データを収集するデータ収集部と、透過データから被検体の医用画像を再構成する再構成処理部と、撮影プロトコルに従って各構成を制御する制御部を備える。
【００２１】
この撮影プロトコル作成支援システム１は、入力デバイス１０とモニタ２０と撮影プロトコル管理部３０と検索部５０と画像記憶部９０と候補プロトコル作成部４０と画像処理部６０とプレビュー制御部７０とを備える。
【００２２】
撮影プロトコル管理部３０は、撮影プロトコルを管理する。撮影プロトコル管理部３０は、撮影条件作成のためのフォーム画面を予め有しており、このフォーム画面をモニタ２０に表示する。撮影プロトコル管理部３０には、入力デバイス１０を用いて撮影プロトコルが入力さる。モニタ２０は、液晶ディスプレイやＣＲＴディスプレイであり、入力デバイス１０は、キーボードやマウス等である。
【００２３】
撮影条件作成のためのフォーム画面には、被検体の身長、体重、体型、年齢をはじめとする患者情報と、医用画像診断装置がＸ線ＣＴ装置であれば電圧、電流、管電圧、管電流、ガントリ回転速度、スライス厚、ビーム幅、ヘリカルピッチ、撮影部位、造影剤の有無をはじめとする情報を入力又は選択するフィールドが表示される。このフィールドに入力デバイス１０を用いてパラメータを入力する。撮影プロトコル管理部３０は、予め所定の撮影プロトコルを記憶している。撮影条件作成のためのフォーム画面には、この予め記憶されている撮影プロトコルを選択するフィールドが表示される。入力デバイス１０を用いて予め記憶されている撮影プロトコルをこのフィールドから選択する。
【００２４】
また、撮影プロトコル管理部３０は、確定した撮影プロトコルを撮影部８０に入力する。撮影部８０は、この入力された撮影プロトコルに従って被検体の撮影を開始する。
【００２５】
検索部５０は、医用画像を検索する。撮影プロトコルが撮影プロトコル管理部３０に入力されると、検索部５０は、入力された撮影プロトコルのうちの主撮影条件を読み出して、読み出した主撮影条件を検索キーとして画像記憶部９０を検索する。主撮影条件は、撮影後に画像処理によっては修正不可能な医用画像の態様を決定付ける条件であり、被検体の身長、体重、体型、年齢、撮影部位、スライス厚、造影剤の有無である。
【００２６】
画像記憶部９０は、医用画像とデータベースを記憶している。データベースは、記憶している医用画像を特定する情報と、医用画像が撮影されたときの撮影プロトコルとを関連づけている。
【００２７】
候補プロトコル作成部４０は、入力された撮影プロトコルに加えて、この入力された撮影プロトコルと類似の撮影プロトコルを作成する。候補プロトコル作成部４０は、入力された撮影プロトコルの副撮影条件を一定の振れ幅で変更して、入力された撮影プロトコルとは副撮影条件が異なる撮影プロトコルを作成する。副撮影条件は、主撮影条件以外の条件であり、撮影後に画像処理によってもある程度の修正が可能な条件であり、医用画像診断装置がＸ線ＣＴ装置であれば電圧、電流、管電圧、管電流、ガントリ回転速度、ビーム幅、ヘリカルピッチである。
【００２８】
画像処理部６０は、検索部５０で検索された医用画像を画像処理することで、入力された撮影プロトコル及び候補プロトコル作成部４０で作成された撮影プロトコルによって撮影された場合の医用画像を再現する。
【００２９】
画像処理部６０は、検索された医用画像の撮影条件を画像記憶部９０のデータベースから読み出し、この読み出した撮影条件の副撮影条件と再現する撮影プロトコルの副撮影条件とのパラメータの差に比例させて医用画像を画像処理する。
【００３０】
プレビュー制御部７０は、入力された撮影プロトコル及び候補プロトコル作成部４０で作成された撮影プロトコルに対応するように画像処理された医用画像をモニタ２０にプレビュー表示させる。
【００３１】
このモニタ２０にプレビュー表示された医用画像を閲覧することで、いずれかの撮影プロトコルを選択する入力が入力デバイス１０を用いてなされると、撮影プロトコル管理部３０は、選択された撮影プロトコルを確定された撮影プロトコルとして撮影部８０に入力する。
【００３２】
図２は、このような撮影プロトコル作成支援システム１の動作を示すフローチャートである。
【００３３】
まず、操作者が、入力デバイス１０を用いて撮影プロトコル管理部３０によりモニタ２０に表示された撮影プロトコル入力のためのフォーム画面に撮影プロトコルを入力する（Ｓ０１）。入力デバイス１０が撮影プロトコルの入力を受け付けると、撮影プロトコル管理部３０は、入力された撮影プロトコルを取得する（Ｓ０２）。さらに入力デバイス１０は、プレビューを要求する入力を受け付ける（Ｓ０３）。
【００３４】
プレビューを要求する入力がなされると、候補プロトコル作成部４０は、入力された撮影プロトコルから副撮影条件を読み出す（Ｓ０４）。候補プロトコル作成部４０は、副撮影条件を読み出すと、この副撮影条件を一定の振れ幅で変更し、入力された撮影プロトコルと類似の撮影プロトコルを作成する（Ｓ０５）。
【００３５】
類似の撮影プロトコルの作成では、入力された副撮影条件を一定の振れ幅で変更した複数の副撮影条件を別途作成する。そして、主撮影条件を、入力された副撮影条件及び別途作成した副撮影条件のそれぞれに結合する。これにより、入力された撮影プロトコルの他に、入力された主撮影条件と一定の振れ幅で変更された副撮影条件とを組み合わせた類似の撮影プロトコルが作成される。
【００３６】
また、プレビューを要求する入力がなされると、検索部５０は、候補プロトコル作成部４０による撮影プロトコルの作成と同時又は前後して、入力された撮影プロトコルから主撮影条件を取得する（Ｓ０６）。そして、検索部５０は、取得した主撮影条件で画像記憶部９０のデータベースを検索し、入力された撮影プロトコルと主撮影条件が一致する医用画像を画像記憶部９０から取得しておく（Ｓ０７）。
【００３７】
入力された撮影プロトコルと集札条件が一致する医用画像が取得され、かつ類似の撮影プロトコルが作成されると、画像処理部６０は、取得した医用画像を、入力及び変更された副撮影条件に合わせて画像処理する（Ｓ０８）。
【００３８】
この画像処理では、まず取得した医用画像の副撮影条件をデータベースから読み出す。読み出した医用画像の副撮影条件と、入力された撮影プロトコル及び副撮影条件の変更により新たに作成された撮影プロトコルの各副撮影条件とのパラメータの差を取る。そして、このパラメータの差に比例させてコントラスト増減処理等を行う。
【００３９】
画像処理が終了すると、プレビュー制御部７０は、まず入力された撮影プロトコルに対応して画像処理された医用画像をモニタ２０にプレビュー表示させる（Ｓ０９）。このとき、入力された撮影プロトコルの内容についてもモニタ２０に表示させる。
【００４０】
操作者が入力デバイス１０を用いて類似する撮影プロトコルに対応する医用画像のプレビューを要求する入力を行うと（Ｓ１０）、プレビュー制御部７０は、類似の撮影プロトコルに対応して画像処理された医用画像をモニタ２０にプレビュー表示させる（Ｓ１１）。このとき、このプレビュー表示した医用画像に対する類似の撮影プロトコルの内容についてもモニタ２０に表示させる。
【００４１】
操作者が入力デバイス１０を用いてプレビュー表示されている医用画像の中から撮影に使いたい撮影プロトコルを確定する入力を行うと（Ｓ１２）、撮影プロトコル管理部３０は、この確定された撮影プロトコルを撮影部８０に入力する（Ｓ１３）。
【００４２】
撮影部８０は、入力された撮影プロトコルに従って被検体の撮影を開始する（Ｓ１４）。撮影の開始により撮影プロトコル作成支援の処理は終了する。
【００４３】
図３は、この撮影プロトコル作成支援システム１において、モニタ２０に表示されるフォーム画面を示す模式図である。
【００４４】
フォーム画面は、上半分に撮影プロトコルを記入する記入領域２１が設定されている。この記入領域２１に、例えば、患者の性別が男、撮影領域が頭部、管電流が４ｍＡ等のように入力デバイス１０を用いてフィールドに記入していく。
【００４５】
このフォーム画面には、プレビュー表示を要求するプレビューボタン２２が表示されている。このプレビューボタン２２を入力デバイス１０を用いて押下すると、撮影プロトコル作成支援システム１は、類似の撮影プロトコルの作成と画像処理とプレビュー処理に遷る。
【００４６】
図４は、この撮影プロトコル作成支援システム１における撮影プロトコルの作成を説明する模式図である。
【００４７】
図４の（ａ）に示すように、撮影プロトコルが入力されると、この撮影プロトコルを主撮影条件部分と副撮影条件部分に分割する。例えば、主撮影条件部分には、患者の性別が男を表す患者性別情報、撮影領域が頭部を表す撮影領域情報が含まれ、副撮影条件部分には、管電流が４ｍＡを表す管電流情報が含まれる。
【００４８】
図４の（ｂ）に示すように、主撮影条件部分と副撮影条件部分に分割すると、副撮影条件部分を一定の振れ幅で変更した新たな副撮影条件部分を作成する。例えば、管電流情報として４ｍＡが入力されていれば、３ｍＡを表す管電流情報を含む副撮影条件部分、２ｍＡを表す管電流情報を含む副撮影条件部分、１ｍＡを表す管電流情報を含む副撮影条件部分を作成する。
【００４９】
そして、図４の（ｃ）に示すように、主撮影条件部分と、３ｍＡを表す管電流情報を含む副撮影条件部分、２ｍＡを表す管電流情報を含む副撮影条件部分、１ｍＡを表す管電流情報を含む副撮影条件部分をそれぞれ結合し、４ｍＡを表す管電流情報を含む入力された撮影プロトコルの他に、主撮影条件が同一で３ｍＡを表す管電流情報を類似の撮影プロトコル、主撮影条件が同一で２ｍＡを表す管電流情報を類似の撮影プロトコル、主撮影条件が同一で１ｍＡを表す管電流情報を含む類似の撮影プロトコルを作成する。
【００５０】
尚、主撮影条件となる撮影条件と副撮影条件となる撮影条件は、予め候補プロトコル作成部４０に設定されている。また、一定の振れ幅は、予め候補プロトコル作成部４０に設定されている。また、値を変更する方向は、例えば被検体の被爆量が小さくなる方向に変更する。
【００５１】
図５は、この撮影プロトコル作成支援システム１における画像処理を説明する模式図である。
【００５２】
４ｍＡを表す管電流情報を含む入力された撮影プロトコルに対応する医用画像を作成するための画像処理においては、入力された主撮影条件と合致する医用画像の管電流情報が５ｍＡで撮影されたものであれば、その差をとり、管電流情報が表す値の差が２０％を表す値を導く。そして、入力された主撮影条件と合致する医用画像のコントラストを、導いた差に相当する２０％減少させるように、画像処理を施す。
【００５３】
３ｍＡを表す管電流情報を含む類似の撮影プロトコルに対応する医用画像を作成するための画像処理においては、入力された主撮影条件と合致する医用画像の管電流情報が５ｍＡで撮影されたものであれば、その差をとり、管電流情報が表す値の差が４０％を表す値を導く。そして、入力された主撮影条件と合致する医用画像のコントラストを、導いた差に相当する４０％減少させるように、画像処理を施す。
【００５４】
図６は、この撮影プロトコル作成支援システム１におけるプレビュー表示を示す表示画面の模式図である。
【００５５】
プレビューボタン２２が押下されると、フォーム画面の左下領域２３には、入力された撮影プロトコルに対応して画像処理された医用画像がプレビュー表示される。また、フォーム画面の右下領域２４には、類似の撮影プロトコルに対応して画像処理された医用画像の一つがプレビュー表示される。右下領域２４には、医用画像をめくるＮＥＸＴボタン２５が表示される。この医用画像をめくるＮＥＸＴボタン２５が押下されると、他の類似の撮影プロトコルに対応して画像処理された医用画像の一つがプレビュー表示される。
【００５６】
フォーム画面の上半分の撮影プロトコルを記入する記入領域２１には、入力された撮影プロトコルの内容の他に、類似の撮影プロトコルに対応して画像処理された医用画像の一つをプレビュー表示する領域に現在プレビュー表示されている医用画像に対応する類似の撮影プロトコルの内容も表示される。
【００５７】
このフォーム画面には、撮影プロトコルを選択し、確定する確定ボタン２６が表示される。入力デバイス１０を用いて確定ボタン２６を押下すると、フォーム画面の右下領域２４に現在プレビュー表示されている医用画像に対応する類似の撮影プロトコルが確定される。そして、確定された撮影プロトコルが撮影部８０に入力されて、撮影が開始される。
【００５８】
このように、本実施形態に係る撮影プロトコル作成支援システム１では、入力された撮影プロトコルとその類似の撮影プロトコルに対応する医用画像をプレビュー表示するため、医用画像を閲覧することで最適なパラメータを有する撮影プロトコルを探索することができ、撮影プロトコルのパラメータに誤りがあったために生ずる撮影の失敗を防ぎ、かつ良好な医用画像を撮影することができる。
【００５９】
図７は、この撮影プロトコル作成支援システム１の態様の他の具体例を示すブロック図である。上記説明では、医用画像診断装置に撮影プロトコル作成支援システム１を備えるようにした。このほかにも、医用画像診断装置とネットワークで接続したサーバを用意し、このサーバに類似の撮影プロトコルの作成と画像検索と画像処理の機能を付与し、医用画像診断装置をプレビュー表示するクライアントとして機能させてもよい。
【００６０】
即ち、撮影プロトコル作成支援システム１は、医用画像診断装置１００と作成支援サーバ２００を備える。医用画像診断装置１００は、入力デバイス１０とモニタ２０と撮影プロトコル管理部３０とプレビュー制御部７０を備える。一方、作成支援サーバ２００は、候補プロトコル作成部４０と検索部５０と画像記憶部９０と画像処理部６０を備える。
【００６１】
入力デバイス１０を用いたプレビューの要求は、入力された撮影プロトコルとともに、撮影プロトコル管理部３０によりネットワークを介して作成支援サーバ２００の候補プロトコル作成部４０と検索部５０に入力される。画像処理された医用画像と入力された撮影プロトコル及び類似の撮影プロトコルは、関連づけられて医用画像診断装置１００に入力される。
【００６２】
医用画像診断装置１００のプレビュー制御部７０は、この作成支援サーバから送信された医用画像と撮影プロトコルをプレビュー表示させる。
【００６３】
この態様の他にも、画像記憶部９０をさらに別の画像サーバとするようにしてもよい。
【図面の簡単な説明】
【００６４】
【図１】本実施形態に係る撮影プロトコル作成支援システムの構成を示すブロック図である。
【図２】本実施形態に係る撮影プロトコル作成支援システムの撮影プロトコル作成支援動作を示すフローチャートである。
【図３】本実施形態に係る撮影プロトコル作成支援システムにより撮影プロトコル作成時に表示される表示画面の具体例を示す模式図である。
【図４】本実施形態に係る撮影プロトコル作成支援システムの撮影プロトコル作成を説明する模式図である。
【図５】本実施形態に係る撮影プロトコル作成支援システムで作成された撮影プロトコルに対するプレビュー画像の作成を説明する模式図である。
【図６】本実施形態に係る撮影プロトコル作成支援システムにより表示されるプレビュー画像の表示画面を示す模式図である。
【図７】本実施形態に係る撮影プロトコル作成支援システムの他の具体例を示すブロック図である。
【符号の説明】
【００６５】
１  撮影プロトコル支援システム
１０  入力デバイス
２０  モニタ
３０  撮影プロトコル管理部
４０  候補プロトコル作成部
５０  検索部
６０  画像処理部
７０  プレビュー制御部
８０  撮影部
９０  画像記憶部
１００  医用画像診断装置
２００  作成支援サーバ
【図１】
0005006144.tif 000002
【図２】
0005006144.tif 000003
【図３】
0005006144.tif 000004
【図４】
0005006144.tif 000005
【図５】
0005006144.tif 000006
【図６】
0005006144.tif 000007
【図７】
0005006144.tif 000008